(57)【特許請求の範囲】
【請求項１】
セキュリティマークを受取り部材に付与する装置であって、
１つ以上のソースから情報を受信するデータ受信部と、
ユーザの好み、時間的制約、占有面積の制約、データの制約、表面タイプの少なくとも一つ、または、前記１以上のソースから受信した情報を用いて、１以上の適切なアルゴリズムを決定する人工知能部と、
前記人工知能部で決定された１以上のアルゴリズムの少なくとも一部に基づき、少なくとも１つのＭＳＭ構成を生成する、セキュリティマーク生成部と、
前記少なくとも１つのＭＳＭ構成を１つ以上の受取り部材に付与する付与部と、
を備え、
前記ＭＳＭ構成は、
該ＭＳＭ構成の大きさ、移動、及び／または回転にかかわらずＭＳＭ構成の検出を可能にする基準点を提供する少なくとも２つのアンカマークと、
前記少なくとも２つのアンカマークに近接して配置され、前記データ受信部からの情報を表す少なくとも１つのデータマークと、
を含み、
前記データマークは、大きさ、形状、色のいずれかにおいて、前記アンカマークと異なる、
装置。
【請求項２】
セキュリティマークを受取り部材に付与する方法であって、
データ受信部で１以上のソースから情報を受信するステップと、
少なくとも一つの微小セキュリティマーク（ＭＳＭ）構成を生成するステップであって、前記少なくとも一つのＭＳＭは、ユーザの好み、時間的制約、占有面積の制約、データの制約、表面タイプの少なくとも一つ、または、データ受信部で受信した情報を用いて決定されるアルゴリズムで生成されるマークであるステップと、
１以上の受取り部材に、１以上のＭＳＭ構成を付与するステップと、
を備え、
前記ＭＳＭ構成は、
該ＭＳＭ構成の大きさ、移動、及び／または回転にかかわらずＭＳＭ構成の検出を可能にする基準点を提供する少なくとも２つのアンカマークと、
前記少なくとも２つのアンカマークに近接して配置され、前記データ受信部からの情報を表す少なくとも１つのデータマークと、
を含み、
前記データマークは、大きさ、形状、色のいずれかにおいて、前記アンカマークと異なる、
方法。
【発明の詳細な説明】
【技術分野】
【０００１】
本発明は、偽造防止に関し、より詳細には、真正な文書及び／または画像を偽造文書及び／または画像から見分けるための微小セキュリティマークの利用に関する。
【背景技術】
【０００２】
現在、偽造防止システムは、主としてデジタル（電子）透かし技術の使用にもとづいている。電子透かしとは、デジタル画像信号またはデジタル文書にユーザが情報（例えば、著作権情報、セキュリティコード、識別データなど）を追加できるようにする技術である。このようなデータは、信号または信号の著者に関する情報（例えば、名前、場所など）を記載したビット群として生成できる。
【０００３】
画像に対する最も一般的な電子透かし方法は、空間または周波数ドメインで機能する。電子透かしを信号に付加するまたは信号から削除するための種々の空間及び周波数ドメイン技術が使用されている。
【０００４】
空間電子透かしの場合、最も簡単な方法は、選択された画素の最下位ビットをグレイスケールイメージまたはカラーイメージにフリップ（flip）する。この方法は、画像が人による修正またはノイズを生じる修正（noisy modification）を受けない場合に限ってうまく機能する。また、紙に透かしを入れるのと同じように、より強固な（robust）透かしを画像に埋め込むことができる。このような技術では、画像の絵の領域にわたって透かし符号を重畳し、その透かしに対するある固定した強度値を画像の種々の画素値に付加してもよい。結果として得られる透かしは、透かしの強度の値（大きいか小さいか）によって、目に見える場合も見えない場合もある。
【０００５】
色分離を使用して、空間電子透かしを適用することもできる。この場合、透かしは１つのカラーバンドにのみ現れる。これにより、透かしは肉眼ではとらえにくく、ふつうに見た場合には検出しにくい。しかしながら、プリントまたは電子写真のために色が分離されると、この透かしが直ちに現れる。この結果、透かしをそのカラーバンドから取り除くことができない限り、その文書はプリンタに対して無用になる。このアプローチは、ジャーナリストがデジタル写真の電子透かしのないバージョンを購入する前に、写真ストック（photo stockhouse）にあるデジタル写真を調べる際に商業的に使用されている。
【発明の概要】
【発明が解決しようとする課題】
【０００６】
しかしながら、電子透かし技術の利用には次のような問題点がある。すなわち、透かしを取り込むためには、抽出用のハードウェア及び／またはソフトウェアを用いる必要があるが、電子透かしは通常かなり大きな占有面積（footprint）を持つため、電子透かしを読み取るための検出器には、かなりのバッファ記憶部が要求されることが多い。結果として、特に透かしの抽出をハードウェアで実施する場合には、検出コストが上がる。
【０００７】
上記の問題ならびにその他の問題を解決するために、画像及び／または文書を識別して偽造を防止するための別のシステム及び方法の開発または利用が求められている。
【課題を解決するための手段】
【０００８】
本発明の一態様においては、装置は、受取り部材（recipient）に対してセキュリティマークを付与する。データ受信部は、１つ以上のソースからの情報を受信する。セキュリティマーク生成部は、データ受信部からの情報の少なくとも一部に基づいて、少なくとも１つの微小セキュリティマーク（ＭＳＭ）構成を生成する。付与（application）部は、少なくとも１つのＭＳＭ構成を１つ以上の受取り部材に付与する。
【０００９】
本発明の別の態様においては、装置は、セキュリティマークから抽出したデータを解釈する。検出部は、少なくとも１つの受取り部材に付与された１つ以上のセキュリティマークを検出する。ここで、セキュリティマークは、少なくとも１つのデータマークと、少なくとも２つのアンカマークとを含むＭＳＭ構成である。抽出部は、検出部により検出された１つ以上のＭＳＭ構成から情報を抽出する。解釈部は、抽出部による１つ以上のＭＳＭ構成から抽出された情報の意味を判断する。
【００１０】
本発明のさらに別の態様においては、セキュリティマークにより表される情報を解釈するための方法を提供する。少なくとも１つのデータマークと、少なくとも２つのアンカマークとを含むＭＳＭセキュリティマークが生成される。これらデータマーク及びアンカマークは、約１マイクロメートルから数百マイクロメートルの直径を有し、前記少なくとも１つのデータマークは、前記少なくとも２つのアンカマークとは異なる。ＭＳＭセキュリティマークは、少なくとも１つの受取り部材に付与され、ＭＳＭセキュリティマークを含む前記少なくとも１つの受取り部材が分析される。前記少なくとも１つの受取り部材に付与されたＭＳＭセキュリティマークの位置が検出される。検出されたＭＳＭセキュリティマークからの情報が抽出され、ＭＳＭセキュリティマークから抽出された情報が解釈される。
【図面の簡単な説明】
【００１１】
【図１】１つ以上のソースから受信した情報に少なくとも部分的にもとづくセキュリティマークを付与する装置を示す図である。
【図２】セキュリティマーク内に含まれるデータを検出し、抽出し、解釈する装置を示す図である。
【図３】受取り部材材におけるＭＳＭ構成であるセキュリティマークの例示的な実施形態を示す図である。
【図４】ＭＳＭ構成の例を示す図である。
【図５】ＭＳＭ構成の別の例を示す図である。
【図６】セキュリティマークを介して生成されたデータを解釈するための方法を示す図である。
【発明を実施するための形態】
【００１２】
図１には、１つ以上の受取り部材に対してセキュリティマークを生成して付与する装置が示されている。ここで用いられるセキュリティマークとは、受取り部材、例えば、画像、図画、写真、文書、テキスト本体などに付与される任意のマーク（例えば、凹部、刻印（impression）、隆起（raised）、上塗り（overlay）など）が考えられる。このセキュリティマークは、検出、抽出、及び／または解釈が可能な情報を含むことができる。セキュリティマーク内に含まれる情報が正確であることを確認して、これによりこのセキュリティマークが付与された受取り部材の真正性を確認することで、このような情報を用いた偽造防止が可能である。
【００１３】
この装置は、データ受信部１０と、セキュリティマーク生成部１２と、記憶部１４と、付与部１６とを含む。データ受信部１０は、１つ以上のソース（図示せず）からの情報を受信する。このようなソースとは、１つ以上の製品（例えば、通貨、パスポート、ビザ、銀行書類、身分証明文書など）に関連する情報を含む、１つ以上のデータベース、処理部などが可能である。１つ以上の製品の真正性の確認にユーザが関心ある場合があり、真正性を確認する手段を提供するために、１つ以上のセキュリティマークをその製品に付けることができる。このようなセキュリティマークは、確認の目的で、後に検出及び抽出することができる。
【００１４】
データは、実質的に任意の値、例えば、製造元、日付、時間、通し番号などを表すことができ、または単に任意の英数字列を表すこともできる。１つのアプローチでは、このデータは占有的（proprietary）であり、限られた数のユーザのみがデータを解釈できる。例えば、データは、特定データを表す英数字文字列を含むことができる。例として、文字「Ｄ」が、特定通貨の製造場所を示すことができる。別のアプローチでは、４桁の数字コードにより、パスポートの通し番号（例えば、発行年、発行場所など）を表すことができる。このような情報を利用して、セキュリティマークが付与されている受取り部材の真正性を確証することができる。
【００１５】
セキュリティマーク生成部１２は、受信したデータを、特定の構成に配置された少なくとも１つの微小セキュリティマーク（ＭＳＭ）に変換することができる。ＭＳＭは、サイズが小さく（例えば、約１マイクロメートルから数百マイクロメートルの範囲の大きさ）、裸眼では視覚的に見ることができない。データ受信部１０からの情報を利用して、１つ以上のセキュリティマークを生成することができる。ＭＳＭ構成を含むマークは、１つ以上のアルゴリズムを介して構成することができる。このアルゴリズムにより、受信データを、この受信データを表すマークの構成に変換する。アルゴリズムは、等式、方法論、ワークフローなどを１つ以上用いて、１つ以上のマークの位置、大きさ、及び／または形状を決定することができる。このような決定は、１つ以上の本質的に異なるマークの１つ以上の側面に少なくとも部分的にもとづき行うことができる。
【００１６】
１つの例では、セキュリティマークは、少なくとも１つのデータマークと、少なくとも２つのアンカマークとを含むＭＳＭ構成を有する。これらＭＳＭは、異なる色及び形状を有してもよい。特に、ＭＳＭ構成内のアンカマークは、少なくとも１つのデータマークとは異なる少なくとも１つの属性（例えば、大きさ、形状、色など）を有する。このように、アンカマークは、どのデータマークとも同じ属性を持つことはない。
【００１７】
１つ以上のデータマークの位置、大きさ、及び／または形状が、これに含まれる情報を決定することができる。例えば、ＭＳＭ構成には、１９のデータマークと、２つのアンカマークを含むことができる。アンカマークとデータマークのいずれのマークの大きさ、形状、及び色も、アンカマークどうしが互いに識別できるように知られている。さらに、各ＭＳＭ構成におけるアンカマークの位置は、互いに対して、かつ、１つ以上のデータマークに対しても知られている。このように、ＭＳＭ構成から、これに関連する１つ以上のアルゴリズムを利用して、情報を記憶して抽出することができる。この１つ以上のアルゴリズムは、マークの位置、サイズ、形状及び色の少なくともいずれかを利用して、ＭＳＭ構成に対してデータを記憶及び／または抽出できる。
【００１８】
アンカマークを使用して、ＭＳＭ構成の検出及び抽出に使用される計算上のオーバヘッド量を制限することができる。例えば、画像（及びこれに付与されたＭＳＭ構成）の回転、移動及び／またはスケーリングが知られていないことで、より高い検出要件が必要になり得る。この結果、マークの数が増えるにつれ、計算上の煩雑性が指数関数的に増大する可能性がある。一般に、アンカマークによって、ＭＳＭ構成の位置を即座に決定することができる。特に、ＭＳＭ構成内において、アンカマークに対する少なくとも１つのデータマークの位置を迅速に決定できる。このようにして、過度な計算オーバヘッドが軽減できる。さらに、ＭＳＭ構成は電子透かしに比べて占有面積を小さくすることができ、これにより、バッファ記憶要件が低減できる。これは、より多数のデータ及び／またはアンカマークが使用される場合に特に効果的である。一態様においては、検出器は、まずアンカマークを識別し、その後、このアンカマークを利用して、位置、向き、及びスケーリングのパラメータを決定することができる。これらのパラメータを適用することにより、線形の計算上の複雑さで、データマークの位置を決定できる。
【００１９】
アルゴリズムは、実質的に任意の方法を利用して、ＭＳＭ構成内におけるデータマーク及び／またはアンカマークの位置、大きさ、形状、などを決定することができる。例えば、キー依存関係（key dependency）、数学的形態学などを用いることができる。数学的形態学を利用するアルゴリズムは、例えば、構造要素（structuring element）、侵食処理（erosion）及び／または伸張処理（dilation）を利用して画像を処理できる。ブラインド抽出（blind extraction）を利用する、情報に基づく埋め込み（informed embedding）を用いることができる。１つの例では、種々の技術を利用して、小型の非真正領域を作成し高品質圧縮によるノイズを偽検出マップから取り除く。数学的形態学を利用することにより、改ざんされた領域を検出することができ、（例えば、損失圧縮による）ノイズが低減する。別の例においては、幾何学的に不変の特性にもとづくセキュリティマークを作成するアルゴリズムが生成される。このようなマークは、回転、スケーリング、移動などによっても不変のままである。
【００２０】
記憶部１４は、特定のＭＳＭ構成を生成する方法を提供するために、１つ以上のアルゴリズム、ルックアップテーブル、公式、方法などを備えることができる。セキュリティマーク生成部１２によって利用された新しいアルゴリズムは、記憶部１４に送ることができる。このように、アルゴリズムを、将来的な使用のために記憶したり、閲覧したり、編集したり、まとめたり、取り出したりすることができる。アルゴリズムの選択は、複数の要因、例えば、データソース、ユーザの好み、時間的制約、占有面積の制約、データの制約、表面タイプなどにもとづいて行うことができる。
【００２１】
適切なセキュリティマーク生成アルゴリズムを決定するために、人工知能（ＡＩ）部（図示せず）を用いることができる。一態様においては、ＡＩ部は、１つ以上のソース（例えば、データベース、処理装置、機械制御システムなど）から受信した情報を用いて、適切なアルゴリズムを決定することができる。別の態様においては、１つ以上のパラメータを検出し、適当なアルゴリズムを決定するために利用することができる。一実施形態においては、適当なアルゴリズムが、マシンラーニングにより決定できる。すなわち、データフォーマット及び／または処理技術のための望ましい結果及び／または望ましくない結果の例を備えた１つ以上のトレーニングデータセットを利用して、システムをトレーニングする。別の態様においては、望ましい結果を示す１つ以上の特性にもとづく初期条件を利用することができる。このような初期条件を経時的に調節し、戻り結果に関連づけることにより、識別力を高めることができる。
【００２２】
付与部１６は、セキュリティマーク生成部１２から受け取った１つ以上のセキュリティマークを１つ以上の受取り部材に付与することができる。一例においては、付与部１６は、セキュリティマーク生成部１２から受信したコマンドに少なくとも部分的にもとづき、受取り部材（例えば、紙、膜（velum）、アセテートなど）にＭＳＭ構成を付けることができるプリンティングプラットフォームである。このように、プリントヘッド、アプリケータなどを、受取り部材に対する１つ以上の位置に移動して、所定位置にインクを分散して特定のＭＳＭ構成を生成することができる。別の例では、付与部は、受取り部材の表面を除去及び／または脱色して、特定のＭＳＭ構成を作成するレーザマーキング装置である。ここで、付与部１６は、受取り部材に１つ以上のマークを生成できる実質的に任意の装置であってよい。付与部は、印刷、版画、型押し、変退色、受取り部材からの材料除去の技術のうち少なくとも一つの技術を利用することが望ましい。
【００２３】
図２は、セキュリティマーク（例えば、ＭＳＭ構成）を解釈する装置を示す。この装置は、検出部１８と、抽出部２０と、アルゴリズム記憶部２２と、解釈部２４とを含む。この装置は、受取り部材に付与された１つ以上のセキュリティマークを検出し、この１つ以上のセキュリティマークを抽出し、これに含まれているデータを解釈することができる。アルゴリズム記憶部２２は、受取り部材に付与された１つ以上のセキュリティマークの抽出に使用される１つ以上のアルゴリズムを提供できる。
【００２４】
検出部１８は、受取り部材に配置された１つ以上のセキュリティマークを検出するために用いることができる。検出部１８は、所定の条件が合致すると、特定の構成や特定の位置を検索するようにプログラムすることができる。このように、検出部１８は、１つ以上のユーザ要件にもとづきカスタマイズすることができる。検出部１８は、受取り部材の表面を走査して１つ以上のＭＳＭ構成を検出できる実質的に任意の装置にすることができる。
【００２５】
１つのアプローチでは、検出部１８は、電荷結合素子（ＣＣＤ）アレイを用いて特定のフィールドをスキャンできるビジョンシステムである。アレイ内部の１つ以上の画素に関連づけて１つ以上の所定閾値が設定できる。このようなアレイを精査することにより、１つ以上の所定閾値（例えば、特定のグレイレベル、輝度、サイズなど）に合致する画素を識別することができる。検出部１８は、この識別された画素を処理して、ＭＳＭ構成が存在するか否かを判断する。例えば、ビジョンシステムは、紙幣の表面にズームして、１つ以上のセキュリティマークの位置及びこれに含まれるデータを検出することができる。
【００２６】
抽出部２０は、１つ以上のアルゴリズムを使用して、１つ以上のセキュリティマーク内に含まれる情報を抽出することができる。アルゴリズムは、特定のセキュリティマークによって表されるデータを解釈するための式、等式、方法などを１つ以上含むことができる。一例においては、セキュリティマークは、データが２つ以上のアンカマークと１つ以上のデータマークとにより表されるＭＳＭ構成である。抽出部２０は、データマークの互いに対する位置、及び２つ以上のアンカマークに対する位置を分析することができる。さらに、抽出部は、アンカマークの互いに対する位置を分析して、ＭＳＭ構成が所定の位置に存在することを保証することができる。１つ以上のＭＳＭ構成内に含まれる情報を抽出するために、マークの大きさ、形状、色、向きなどを分析することもできる。
【００２７】
アルゴリズム記憶部２２は、後の使用に備えて、１つ以上のアルゴリズムを記憶したり、まとめたり、見たり、取り込んだりするために用いることができる。１態様においては、抽出部２０が１つ以上のアルゴリズムをアルゴリズム記憶部２２から取り込んで、ＭＳＭ構成内に含まれる情報を判断することができる。別の態様では、抽出部２０は、適当なアルゴリズム、方法論などを決定し、１つ以上のセキュリティマークから情報を抽出して、このような情報を、後に使用するためにアルゴリズム記憶部２２に送ることができる。
【００２８】
解釈部２４は、抽出部２０により１つ以上のセキュリティマークから抽出されたデータに関連する意味を決定することができる。このような決定は、１つ以上の条件、例えば、セキュリティマークの位置、セキュリティマークが付与されている受取り部材、装置の位置、１つ以上の所定条件などにもとづき行うことができる。さらに、解釈部２４によってルックアップテーブル、データベースなどを使用して、セキュリティマークから抽出されたデータの意味を決定することができる。一例においては、セキュリティマークは、セキュリティマークが付与されている受取り部材に関連している。例えば、データ列「５ｊｒｗｍ３８ｆ６ｈｏ」は、１００ドル紙幣と１００ユーロ紙幣に付与された場合にはそれぞれ異なる意味を持ってもよい。
【００２９】
図３には、受取り部材３２に付与されたセキュリティマーク３０が示されている。受取り部材３２は、セキュリティマークを付与することができる実質的にどんな媒体でも表面でもよい。例えば、受取り部材３２を、紙、膜（velum）、アセテートにすることができる。さらに、受取り部材３２は、特定の製品、例えば、文書、権利証書（title）、免許証（ライセンス）、ビザ、パスポート、紙幣、小切手などにおいて使用することができる。また、単一のセキュリティマークが図示されているが、複数のセキュリティマークを受取り部材３２の実質的に任意の位置に付与することができる。
【００３０】
本実施形態においては、セキュリティマーク３０は、アンカマーク３４及び３６と、データマーク３８，４０，４２，４４，４６，４８，５０，５２，５４，５６，５８とを含むＭＳＭ構成である。アンカマーク３４及び３６は、ＭＳＭ構成に対する２つの基準点を提供するために使用される。このような基準点により、セキュリティマーク３０のスケール、向き、先端切断（truncation）、画像劣化などに関わらず、データを抽出することが可能になる。このように、セキュリティマークに含まれるデータを抽出するために使用される装置は、完全で適切な方向にあるセキュリティマーク３０に依存してデータを抽出するわけではない。この結果、受取り部材の扱いは、制約を受ける必要がない。
【００３１】
本実施形態においては、アンカマーク３４は三角形であり、アンカマーク３６は矩形である。データマーク３８から５８は、微小な円形である。なお、アンカマーク３４及び３６及び／またはデータマーク３８〜５８は、実質的にどんな形状、大きさ、向き、色などにすることもできる。ただし、アンカマーク３４及び３６は、データマーク３８〜５８のいずれとも同じであってはならない。アンカマーク３４及び３６は、互いに対して及び／またはデータマーク３８〜５８に対して、実質的に任意の位置に配置することができる。さらに、データマーク３８〜５８は、互いに対しても実質的にどんな位置に配置してもよい。
【００３２】
図４には、ＭＳＭ構成を有するセキュリティマーク７０が示されている。セキュリティマーク７０は、アンカマーク７２，７４，７６，７８と、データマーク８０，８２，８４，８６，８８，９０，９２，９４，９６，９８，１００，１０２，１０４，１０６を含む。アンカマーク７２は三角形であり、アンカマーク７４，７６，７８は矩形である。データマーク８０〜１０６は微小な円形である。データマーク８０〜１０６及び／またはアンカマーク７２〜７８は、実質的に任意の色の輪郭及び／または塗りつぶし（fill）で構成することができる。１例においては、データマーク８０〜１０６は白色の輪郭で、塗りつぶし部分のないマークである。別の例では、アンカマーク７２〜７８は、輪郭が黒色で、赤色で塗りつぶしたマークである。
【００３３】
図５には、ＭＳＭ構成を有するセキュリティマーク１１０が示されている。セキュリティマーク１１０は、アンカマーク１１２，１１４，１１６と、データマーク１１８，１２０，１２２，１２４，１２６，１２８，１３０，１３２，１３４，１３６，１３８，１４０，１４２，１４４，１４６，１４８，１５０，１５２，１５４，１５６，１５８，１６０，１６２を含む。アンカマーク１１２は円形であり、アンカマーク１１４及び１１６は三角形である。データマーク１１８〜１６２は微小な円形である。
【００３４】
説明を簡単にする目的で、図６の方法を示し、これを連続的に実行するものとして説明するが、例示的な実施形態はここに示される順序に限られるものではなく、実施形態によるある態様では、ここに示し、説明するのとは異なる順序で及び／または異なる別の態様と同時に行うことができる。しかしながら、例示的な実施形態の態様による方法論を実施するために、例示したすべての特性が必要なわけではない。
【００３５】
ステップ１８０において、１つ以上のソースから情報が受信される。このような情報には、ソース、日付、時間、通し番号、通しコードなどに関するデータを含むことができる。１例においては、情報は、制限された数のユーザにのみ知られる占有的な英数字の連続である。ステップ１８２においては、ステップ１８０において受信した情報に少なくとも部分的にもとづき、セキュリティマークが生成される。セキュリティマークは、少なくとも２つのアンカポイントと、少なくとも１つのデータポイントとを利用するＭＳＭ構成にすることができる。１例においては、セキュリティマークは、２つ以上のアンカポイントと、１つ以上のデータポイントの大きさ、形状、色、向き、及び位置を決定できる１つ以上のアルゴリズムを利用して生成できる。
【００３６】
ステップ１８４において、セキュリティマークが受取り部材に付与される。セキュリティマークの付与は、実質的に任意の装置、例えばプリンティングプラットフォーム、レーザマーカ、ピンスタンプマーカ、などを利用して行うことができる。さらに、実質的に任意の方法、例えば電子写真、プリンティング、画像転写などを用いて、受取り部材にセキュリティマークを付与することができる。受取り部材は、セキュリティマークが配置され、その後、そのセキュリティマークが検出及び抽出できる任意の材料、例えば紙、膜、アセテート、ガラスなどにすることができる。
【００３７】
ステップ１８６において、受取り部材が分析される。この分析により、セキュリティマークを使用できるコンテクストを決定することができる。例えば、受取り部材の種類、分析の場所、受取り部材を構成する材料、受取り部材に配置される文字及び／または画像などを決定することができる。１例においては、同じセキュリティマークが、それが配置される受取り部材に関連した異なる意味を持ってもよい。ステップ１８８において、セキュリティマークが検出される。この検出は、多くの手段、例えばビデオ、ビジョンシステム、人間などにより実行可能である。このように、セキュリティマークの位置、大きさ、向きなどを決定することができる。
【００３８】
ステップ１９０において、セキュリティマークが抽出され、これに含まれるデータが決定される。セキュリティマークの抽出は、特定のセキュリティマークにより表されるデータを解釈するための１つ以上のアルゴリズム、公式、等式、方法などによって実施できる。１例においては、セキュリティマークは、２つ以上のアンカマークと１つ以上のデータマークとによってデータが表されるＭＳＭ構成である。分析を行って、データマークの互いに対する位置及び２つ以上のアンカマークに対する位置を決定することができる。また、マークの大きさ、形状、色、向きなどを分析して１つ以上のＭＳＭ構成内に含まれる情報を抽出することもできる。
【００３９】
ステップ１９２において、セキュリティマークが解釈される。セキュリティマークからデータが抽出されると、その意味を決定すべく解釈を行う。同じデータでも種々の異なるコンテクストから抽出した場合には異なる意味を持つ可能性があるので、このような解釈は前後関係（コンテクスト）にもとづいて行う。１例においては、パスポートのセキュリティマークから抽出した英数字列と同じ英数字列が、紙幣においては別の意味を持つ可能性がある。データが解釈されると、そのデータは、さらなる処理のために出力できる。
【符号の説明】
【００４０】
１０  データ受信部、１２  セキュリティマーク生成部、１４  記憶部、１６  付与部、１８  検出部、２０  抽出部、２２  アルゴリズム記憶部、２４  解釈部。
【図１】
0005536815.tif 000002
【図２】
0005536815.tif 000003
【図３】
0005536815.tif 000004
【図４】
0005536815.tif 000005
【図５】
0005536815.tif 000006
【図６】
0005536815.tif 000007